(57)【要約】      （修正有）【課題】機能が多様化し、異なる要件を満たすことができるファン及び空気清浄機の兼用型装置を提供する。【解決手段】ファン及び空気清浄機の兼用型装置は、ハウジング１０と、ハウジングの上端に取り外し可能に接続されたファンアセンブリと、ハウジングの内部に設けられたフィルタエレメント１１とを含み、ファンアセンブリは、取り外された後に単独で使用でき、ハウジングには吸気口１２が設けられ、ファンアセンブリの吸気端は、フィルタエレメントの内部と貫通しており、吸気口から取り込まれた空気を濾過する。ファンアセンブリは、ハウジングに取り外し可能に接続され、ファンアセンブリが取り外されてハンドル２２により単独のファンとして使用でき、ファンアセンブリがハウジングに装着されると、空気清浄機が形成される。【選択図】図２
0003227284.tif 000002
【実用新案登録請求の範囲】
【請求項１】
ファン及び空気清浄機の兼用型装置であって、ハウジングと、ハウジングの上端に取り外し可能に接続されたファンアセンブリと、ハウジングの内部に設けられたフィルタエレメントとを含み、前記ファンアセンブリは、取り外された後に単独で使用され得、前記ハウジングには吸気口が設けられ、前記ファンアセンブリの吸気端は、フィルタエレメントの内部と貫通しており、吸気口から取り込まれた空気を濾過することを特徴とするファン及び空気清浄機の兼用型装置。
【請求項２】
前記ファンアセンブリは、カバーと、カバーに回転可能に接続されたハンドルとを含み、前記カバーは、ハウジングの上端に取り外し可能に接続され、前記ハンドルは、カバーの一端面の後側面に設けられることを特徴とする請求項１に記載のファン及び空気清浄機の兼用型装置。
【請求項３】
前記ファンアセンブリは、フィルタエレメント内部が低圧となるように、ハウジング上端に向けて空気を吹き出し、吸気口から空気を吸い込むことを特徴とする請求項２に記載のファン及び空気清浄機の兼用型装置。
【請求項４】
前記カバーは、ハウジングの一方の側に向けて第１の接続構造を備え、前記ハウジングの上端に第２の接続構造を備え、前記第１の接続構造と第２の接続構造とが互いに係合して、カバーとハウジングとが固定されることを特徴とする請求項２または３に記載のファン及び空気清浄機の兼用型装置。
【請求項５】
前記カバーとハンドルとの角度を変えるようにカバーとハンドルとが回転可能に接続されることを特徴とする請求項２または３に記載のファン及び空気清浄機の兼用型装置。
【請求項６】
前記カバーの片側に球状体が設けられ、前記ハンドルに球状体と接続する弧状溝が設けられ、カバーとハンドルとをボールジョイントにし、
前記カバーは、設けられた回転軸を介してハンドルと回転可能に接続されることを特徴とする請求項５に記載のファン及び空気清浄機の兼用型装置。
【請求項７】
前記ファンアセンブリは、カバーと、カバーに接続されたハンドルとを含み、前記カバーは、ハウジングの上端に取り外し可能に接続され、前記ハンドルは、カバーの側面に設けられることを特徴とする請求項１に記載のファン及び空気清浄機の兼用型装置。
【請求項８】
前記カバーは、第１の係合面と、前記ハウジングが第１の係合面に係合する第２の係合面とを備え、前記第１の係合面、第２の係合面は、いずれも斜面又は平面であり、第１の係合面と第２の係合面との相対位置の調整により、ファンアセンブリの送気方向が変更することを特徴とする請求項５又は７に記載のファン及び空気清浄機の兼用型装置。
【請求項９】
前記ハンドルは、フィルタエレメントの内室まで延出し、その延出端に殺菌ランプが設けられることを特徴とする請求項２から６のいずれか一項に記載のファン及び空気清浄機の兼用型装置。
【請求項１０】
前記ハウジングの下端に台座が設けられることを特徴とする請求項１から９のいずれか一項に記載のファン及び空気清浄機の兼用型装置。
【請求項１１】
前記ハウジングの上端に環状溝が設けられ、前記カバーに環状溝に係合する環状突起が設けられ、前記環状溝に係合孔が設けられ、前記環状突起に係合孔に係合する係合柱が設けられることを特徴とする請求項３から９のいずれか一項に記載のファン及び空気清浄機の兼用型装置。
【請求項１２】
前記ファンアセンブリとハウジングとの間は磁力によって接続されることを特徴とする請求項１から１０のいずれか一項に記載のファン及び空気清浄機の兼用型装置。
【請求項１３】
前記第１の接続構造と第２の接続構造との係合は、ねじ結合であり、又は前記第１の接続構造と第２の接続構造との係合は、係止突起と係止溝結合であり、又は前記第１の接続構造と第２の接続構造との係合は、締まり嵌め結合であることを特徴とする請求項４に記載のファン及び空気清浄機の兼用型装置。
【考案の詳細な説明】
【技術分野】
【０００１】
本考案は、家電技術の分野に関し、具体的にさらにファン及び空気清浄機の兼用型装置に関するものである。
【背景技術】
【０００２】
従来の携帯可能な手持ちファンは、基本的に夏場用に登場し、冷たい日になると遊んでしまい、あるいは、オフィスなどの室内の涼しい場所に入ってから手持ちファンを置いとくことにする。これでは、使い勝手が悪く、無駄が多い。また、室内空気を清浄にするために空気清浄機を購入して清浄にする必要があり、その分の費用がかかり、無駄になる。
【考案の概要】
【考案が解決しようとする課題】
【０００３】
本考案の目的は、従来技術の欠点を解消し、ファン及び空気清浄機の兼用型装置を提供することにある。あ
【課題を解決するための手段】
【０００４】
上記目的を達成するために、本考案は以下の技術的解決手段を採用する。
【０００５】
ファン及び空気清浄機の兼用型装置であって、ハウジングと、ハウジングの上端に取り外し可能に接続されたファンアセンブリと、ハウジングの内部に設けられたフィルタエレメントとを含み、前記ファンアセンブリは、取り外された後に単独で使用され得、前記ハウジングには吸気口が設けられ、前記ファンアセンブリの吸気端は、フィルタエレメントの内部と貫通しており、吸気端から取り込まれた空気を濾過する。
【０００６】
さらに、前記ファンアセンブリは、カバーと、カバーに回転可能に接続されたハンドルとを含み、前記カバーは、ハウジングの上端に取り外し可能に接続され、前記ハンドルは、カバーの一端面の後側面に設けられる。
【０００７】
さらに、前記ファンアセンブリは、フィルタエレメント内部が低圧となるように、ハウジング上端に向けて空気を吹き出し、吸気口から空気を吸い込む。
【０００８】
さらに、前記カバーは、ハウジングの一方の側に向けて第１の接続構造を備え、前記ハウジングの上端に第２の接続構造を備え、前記第１の接続構造と第２の接続構造とが互いに係合して、カバーとハウジングとが固定される。
【０００９】
さらに、前記カバーとハンドルとの角度を変えるようにカバーとハンドルとが回転可能に接続される。
【００１０】
さらに、前記カバー片側に球状体が設けられ、前記ハンドルに球状体と接続する弧状溝が設けられ、カバーとハンドルとをボールジョイントにし、
前記カバーは、設けられた回転軸を介してハンドルと回転可能に接続される。
【００１１】
さらに、前記カバーは、第１の係合面と、前記ハウジングが第１の係合面に係合する第２の係合面とを備え、前記第１の係合面、第２の係合面は、いずれも斜面又は平面であり、第１の係合面と第２の係合面との相対位置を調整して、ファンアセンブリの送気方向を変更する。
【００１２】
さらに、前記ハンドルは、フィルタエレメントの内室まで延出し、その延出端に殺菌ランプが設けられる。
【００１３】
さらに、前記ハウジングの下端に台座が設けられる。
【００１４】
さらに、前記ハウジングの上端に環状溝が設けられ、前記カバーに環状溝に係合する環状突起が設けられ、前記環状溝に係合孔が設けられ、前記環状突起に係合孔に係合する係合柱が設けられる。
【００１５】
さらに、前記ファンアセンブリは、カバーと、カバーに回転可能に接続されたハンドルとを含み、前記カバーは、ハウジングの上端に取り外し可能に接続され、前記ハンドルは、カバーの側面に設けられる。
【００１６】
さらに、前記ファンアセンブリとハウジングとの間は磁力によって接続される。
【００１７】
さらに、第１の接続構造と第２の接続構造との係合は、ねじ結合であり、又は第１の接続構造と第２の接続構造との係合は、係止突起と係止溝結合であり、又は前記第１の接続構造と第２の接続構造との係合は、締まり嵌め結合である。
【考案の効果】
【００１８】
従来技術に比較して、本考案の有益な効果は主として以下のとおりである。すなわち、本考案のファンアセンブリは、ハウジングに取り外し可能に接続され、ファンアセンブリが取り外されて単独で使用され得、ファンアセンブリがハウジングに装着されると、空気清浄機が形成され、機能が多様化し、異なる要件を満たすことができる。ファンアセンブリのカバーとハンドルとは互いに回転可能であり、単独使用時には送気方向を調整できる。ファンアセンブリとハウジングとの相対位置の変更により、ファンアセンブリの送気方向の調整が実現される。
【００１９】
上記の説明は、本考案の技術的解決手段の概略であり、本考案の技術的手段をより明確に理解するために、本考案の明細書の内容に従って実施することができ、また、本考案の上記及び他の目的、特徴、及び利点をより明確に理解するために、以下に好ましい実施例を挙げて、詳細に説明する。
【図面の簡単な説明】
【００２０】
【図１】本考案のファン及び空気清浄機の兼用型装置の斜視図の一例である。
【図２】本考案のファン及び空気清浄機の兼用型装置の分解図の一例である。
【図３】本考案のファン及び空気清浄機の兼用型装置のハウジング構成図の一例である。
【図４】本考案のファン及び空気清浄機の兼用型装置のファンアセンブリ構成図及び部分拡大図の例である。
【図５】本考案のファン及び空気清浄機の兼用型装置のファンアセンブリ構成図の一例である。
【図６】本考案のファン及び空気清浄機の兼用型装置におけるハウジングとカバーとのねじ結合の一例を示す図である。
【図７】本考案のファン及び空気清浄機の兼用型装置におけるハウジングとカバーとの係止突起と係止溝結合の一例を示す図である。
【図８】本考案のファン及び空気清浄機の兼用型装置におけるハウジングとカバーとの締まり嵌め結合の一例を示す図である。
【図９】本考案のファン及び空気清浄機の兼用型装置の斜面付き構造かつ送気方向の向きの状態図の一例である。
【図１０】本考案のファン及び空気清浄機の兼用型装置の斜面付き構造かつ送気方向のハウジング側向きの状態図の一例である。
【図１１】本考案のファン及び空気清浄機の兼用型装置の斜面付き構造の分解図の一例である。
【図１２】本考案のファン及び空気清浄機の兼用型装置におけるハンドルのハウジング外側にある斜視構成図の一例である。
【図１３】本考案のファン及び空気清浄機の兼用型装置におけるハンドルのハウジング外側にある分解図の一例である。
【図１４】本考案のファン及び空気清浄機の兼用型装置におけるハンドルのハウジング外側にある斜視図の一例である。
【考案を実施するための形態】
【００２１】
本考案の目的、技術的解決手段、及び利点をより明確に理解するために、以下に添付図面及び具体的な実施形態を参照して本考案をさらに詳細に説明する。
【００２２】
以下、本考案の実施例における技術的解決手段は、本考案の実施例における図面と併せて明確かつ十分に説明するが、もちろん、説明される実施例は、本考案の実施例の一部にすぎず、すべての実施例ではない。 本考案の実施例に基づいて、当業者が創造的な労力をすることなく得られる全ての他の実施例は、いずれも本考案の保護範囲に含まれる。
【００２３】
本考案の説明において、「中心」、「縦」、「横」、「長さ」、「幅」、「厚さ」、「上」、「下」、「前」、「後」、「左」、「右」、「垂直」、「水平」、「頂」、「底」、「内」、「外」、「時計回り」、「反時計回り」などの用語が示す向き又は位置関係は、添付図面に示す向き又は位置関係に基づくものであり、本考案の説明を容易にするためのものであり、言及される装置又は素子が特定の向き、特定の向きで構成及び動作しなければならないことを示し又は示唆するものではなく、したがって、本考案を限定するものと解釈されるべきではないことを理解されたい。
【００２４】
さらに、「第１の」、「第２の」の用語は、説明のためだけに使用され、相対的な重要性を示し又は示唆するか、又は示される技術的特徴の数を示唆すると理解されるべきではない。したがって、「第１の」、「第２の」を定義する特徴は、明示的又は暗示的に、１つ又は複数のその特徴を含み得る。本考案の説明において、「複数」は特に断りのない限り２つおよび以上を意味する。
【００２５】
本考案において、特に明示的に規定及び限定されない限り、「装着」、「接続」、「接続」、「固定」などの用語は、広い意味で理解されるべきであり、例えば、接続、取り外し可能な接続、又は一体型でもよいし、機械的接続、電気的接続であってもよいし、直接的に接続されていても、介在物を介して間接的に接続されていてもよいし、２つの素子の内部の連通、又は２つの素子の相互作用関係であってもよい。当業者であれば、上記用語の具体的な意味は、特定の状況に応じて理解することができる。
【００２６】
本考案において、特に明示的に規定及び限定されない限り、第１の特徴は、第２の特徴の「上」又は「下」にあることは、第１の特徴と第２の特徴とが直接接触していること、又は第１の特徴と第２の特徴とが直接接触しておらず、それらの間にさらなる特徴的接触が存在していることを含み得る。さらに、第１の特徴が第２の特徴の「上」、「上方」、及び「上側」にあることは、第１の特徴が第２の特徴の真上及び斜め上方にあること、又は単に第１の特徴が第２の特徴よりも高い高さレベルにあることを意味することを含む。第１の特徴が第２の特徴の「下」、「下方」及び「下側」にあることは、第１の特徴が第２の特徴の真下及び斜め下方にあること、又は単に第１の特徴が第２の特徴よりも低い高さレベルにあることを意味することを含む。
【００２７】
本明細書の説明において、「一実施例」、「いくつかの実施例」、「例」、「具体例」、又は「いくつかの例」などの用語の説明を参照することは、その実施例又は例示的に説明される特定の特徴、構造、材料、又は特性が、本考案の少なくとも１つの実施例又は例に含まれることを意味する。本明細書では、上記の用語の例示的な表現は、必ずしも同じ実施例又は例を対象とするものと解釈されるべきではない。さらに、説明された特定の特徴、構造、材料、又は特性は、任意の１つ以上の実施例又は例において適切な方法で結合され得る。また、本明細書で説明される様々な実施例又は例は、当業者によって結合され、組み合わされてもよい。
【００２８】
図１乃至図１４は本考案の図面である。
【００２９】
本実施例は、図１乃至図２、図９乃至図１１、図１２乃至図１３に示すように、ハウジング１０と、ハウジング１０の上端に取り外し可能に接続されるファンアセンブリ２０と、ハウジング１０の内部に設けられるフィルタエレメント１１とを備えるファン及び空気清浄機の兼用型装置を提供する。具体的には、フィルタエレメント１１の形状は、断面が円形の円筒形であることが好ましい。他の実施例では、フィルタエレメント１１の断面は、正方形、楕円形、三角形などであってもよい。ファンアセンブリ２０は取り外された後に単独で使用され得る。ハウジング１０には吸気口１２が設けられ、吸気口１２は、ハウジング１０の下端寄りの位置に設けられることが好ましい。ファンアセンブリ２０の吸気端は、フィルタエレメント１１の内部と貫通しており、吸気口１２から取り込まれた空気を濾過する。
【００３０】
ファンアセンブリ２０は、ハウジング１０と別体に設計され、取り外しが比較的容易である。ファンとして使用する必要がある場合、ファンアセンブリ２０は、取り外して移動ファンとして使用され得、空気清浄機として使用する場合、ファンアセンブリ２０をハウジング１０の上端に取り付けて、空気清浄機になる。
【００３１】
好ましくは、吸気口１２は、ハウジング１０の外周に設けられる。吸気口１２から空気が吸い込まれ、フィルタエレメント１１で空気が濾過された後、ファンアセンブリ２０がハウジング１０の上端から空気を吹き出す。
【００３２】
なお、フィルタエレメント１１とハウジング１０との間には、フィルタエレメント１１の濾過時における吸気の流れがより円滑になるように間隔が形成される。
【００３３】
図２、図４、図５を参照すると、ファンアセンブリ２０は、カバー２１と、カバー２１に回転可能に接続されたハンドル２２とを含む。カバー２１は、ハウジング１０の上端に取り外し可能に接続される。ここで、ファン及びモータ(ここでは図示せず)も含まれ、ファン及びモータは、カバー２１内に設けられる。ハンドル２２は、側面から見てカバー２１との間に例えば「Ｔ」字型の構造を形成するようにカバー２１の一端面に設けられ、具体的には、ファンアセンブリ２０の給電方式は、好ましくは、バッテリ給電であり、バッテリ(ここでは図示せず)は、例えばハンドル２２内に設けられる。カバー２１がハウジング１０の上端に載置されたとき、ハンドル２２はハウジング１０の内部に位置する。
【００３４】
ファンアセンブリ２０は、フィルタエレメント１１内部が低圧となるように、ハウジング１０上端に設けられて上向きに空気を吹き出し、吸気口１２から空気を吸い込む。
【００３５】
図２乃至図３を参照すると、ハウジング１０の上端に環状溝１３が設けられ、カバー２１に環状溝１３に係合する環状突起２３が設けられ、環状溝１３に係合孔１４が設けられ、環状突起２３に係合孔１４に係合する係合柱２４が設けられ、カバー２１とハウジング１０と接続する際、環状突起２３が環状溝１３内に係合され、また、係合孔１４内に係合柱２４が挿入され、環状突起２３の根元は頭部よりも小さく、環状溝１３の一端は他端よりも小さい。環状突起２３が環状溝１３に挿入された後、所定の角度だけ回転されることにより、ハウジング１０とカバー２１とが固定される。
【００３６】
図５を参照すると、カバー２１片側には球状体２５が設けられ、ハンドル２２に球状体２５と接続する弧状溝２６が設けられ、カバー２１とハンドル２２とをボールジョイントにする。カバー２１とハンドル２２はボールジョイントで接続されるので、カバー２１とハンドル２２は任意の角度に調整可能であり、ファンアセンブリ２０の送気を容易にする。
【００３７】
カバー２１とハウジング１０との接触面は、ファンアセンブリ２０の送気口が垂直上方を向くように水平面となる。
【００３８】
ここで、カバー２１とハンドル２２との角度を変えるようにカバー２１とハンドル２２を回転可能に接続され、ファンアセンブリ２０単独での使用が容易となり、送気方向を調整することができる。
【００３９】
好ましくは、図２を参照すると、ハンドル２２は、フィルタエレメント１１の内室まで延出し、その延出端には殺菌ランプ２９が設けられる。殺菌ランプ２９は空気を殺菌するためのものであり、一般の殺菌ランプ２９は紫外線ランプである。ファンアセンブリ２０が単独で使用される場合、殺菌ランプ２９は、局所的な殺菌機能を果たすことができる。
【００４０】
図１を参照すると、ハウジング１０の下端には、載置を容易にし、載置を円滑に維持するための台座１８が設けられる。また、台座１８の形状も、車載用コップの溝の位置に合わせて、車内への固定が容易になるように設計される。
【００４１】
好ましくは、ハウジング１０とカバー２１との間には、接続箇所からのガス漏れがないようにシールのためのシールテープが設けられ、濾過効果が高い。
【００４２】
他の実施例において、図１乃至図２、図６乃至図８を参照すると、ハウジング１０とカバー２１との間の取り外しを容易にし、固定及びシール効果を高めるために、カバー２１のハウジング１０の向き側に第１の接続構造が設けられる。ハウジング１０の上端に第２の接続構造が設けられ、第１の接続構造と第２の接続構造とは互いに整合する。
【００４３】
好ましくは、図６を参照すると、第１の接続構造は係止突起２０１であり、第２の接続構造は係止溝１０１であってもよく、カバー２１とハウジング１０との整合の際に、係止突起２０１を係止溝１０１と整列させることができ、そして、カバー２１とハウジング１０とを所定の角度だけ回転して、カバー２１がハウジング１０と係止できる。逆に、第２の接続構造が係止突起２０１であり、第１の接続構造が係止溝１０１であってもよい。
【００４４】
好ましくは、図７を参照すると、第１の接続構造は雄ねじ２０２であり、第２の接続構造は雌ねじ１０２であり、カバー２１とハウジング１０との接続際に、両者をねじ接続することができる。
【００４５】
好ましくは、図７を参照すると、第１の接続構造と第２の接続構造は、緊密な係合接続とすることができる。
【００４６】
他の実施例では、図４を参照すると、カバー２１は、設けられた回転軸２７を介してハンドル２２に回転可能に接続される。
【００４７】
他の実施例では、図９乃至図１１を参照すると、ファンアセンブリ２０は、空気清浄機として使用する場合には、机の上に置かれ、ファンの機能としても使用され、これにより、送気方向を制御することも重要である。カバー２１は、第１の係合面２８と、ハウジング１０が第１の係合面２８に係合する第２の係合面１５とを備え（図１１参照）、第１の係合面２８と第２の係合面１５との相対位置を調整して、ファンアセンブリ２０の送気方向を変更する。
【００４８】
好ましくは、カバー２１の送気方向の一方の面と第１の係合面２８とは、互いに平行、すなわちカバー２１の両側面が互いに平行である。
【００４９】
好ましくは、第１の係合面２８、第２の係合面１５は、いずれも斜面であり、第１の係合面２８、第２の係合面１５の外形輪郭は同一である。カバー２１は、ハウジング１０と接続する際、ファンアセンブリ２０が２つの異なる角度の送気方向を有するように、２つのステーションを有する。具体的には、第１のステーションの場合、第１の係合面２８は、ファンアセンブリ２０の送気方向において垂直上方に向けられた第２の係合面１５と係合し、第２のステーションの場合、第１の係合面２８が第２の係合面１５に所定の角度を回転して係合することにより、ファンアセンブリ２０の送気方向がハウジング１０の一側方に向けられ、デスクに載置して人間に向けて送気することができる。ここで、第１のステーションと第２のステーションとの切り替えは、所定の角度を変えることにより行われ、例えば、第１の係合面２８、第２の係合面１５の断面が楕円形の場合には、１８０°の回転により送気口の変更が可能となる。第１の係合面２８、第２の係合面１５の断面パターンは、楕円形、円形、方形などとすることが好ましい。図９から１１のように、第１の係合面２８、第２の係合面１５の断面が楕円形であれば、ファンアセンブリ２０を１８０°回転させてハウジング１０に係合することで、送気方向を変えることができる。
【００５０】
好ましくは、ハンドル２２とフィルタエレメント１１との干渉の問題を回避するために、このファンアセンブリ２０において、ハンドル２２とカバー２１との間の接続は、ボールジョイントの設計である。
【００５１】
より好ましくは、第１の係合面２８、第２の係合面１５は、いずれも斜面であり、斜面と水平面とのなす角は４５°である。
【００５２】
好ましくは、図１４に示すように、ファンアセンブリ２０は、ハンドル２２がフィルタエレメント１１の内室に配置される干渉を回避するために、及び、ハンドル２２がフィルタエレメント１１の内室に配置されることで排気の過程にファンアセンブリ２０が円滑に動作しなくなる可能性が高い状況を回避するために、カバーの外側にハンドル２２を配置する設計とすることができる。
【００５３】
他の実施例では、図１２乃至図１３を参照すると、ハンドル２２は、カバー２１の一側に配置され得（ファンに対して半径方向に配置され得る）、ハウジング１０は、ハンドル２２を配置するための凹溝１６を備え、これにより、ファンアセンブリ２０をハウジング１０の上端に配置することができる。ハンドル２２はカバー２１の径方向外側に設けられると、ハンドル２２はハウジング１０の外に露出し、ハウジング１０との間で比較的容易に出し入れできる。好ましくは、ハウジング１０の上端に斜めの開口が設けられ、カバー２１の外側に傾斜面が設けられると、カバー２１をハウジング１０の斜めの開口に容易に載置することができ、ハウジング１０とカバー２１との間のシール性を確保することができる。
【００５４】
他の実施例において、図１乃至図３を参照すると、上記実施例のファンアセンブリ２０とハウジング１０は、環状溝１３、環状突起２３を介した接続方式が、本実施例の磁力結合に置き換えられてもよい。ファンアセンブリ２０とハウジング１０との間は磁力によって固定することができ、取り外しも容易である。カバー２１とハウジング１０との接続面にいずれも磁石ブロックが設けられ、一方に磁石ブロックが設け他方に鉄ブロックが設けられることにより、ファンアセンブリ２０をハウジング１０に磁力により接続することができ、ファンアセンブリ２０とハウジング１０を取り外しが容易な緩い接続として設計することができる。
【００５５】
従来技術と比較して、本考案のファンアセンブリ２０は、ハウジング１０に取り外し可能に接続され、ファンアセンブリ２０が取り外されて単独で使用され得、ファンアセンブリ２０がハウジング１０に装着されると、空気清浄機が形成され、機能が多様化し、異なる要件を満たすことができる。ファンアセンブリ２０のカバー２１とハンドル２２とは互いに回転可能であり、単独使用時には送気方向を調整できる。ファンアセンブリ２０とハウジング１０との相対位置の変更により、ファンアセンブリ２０の送気方向の調整が実現される。
【００５６】
上記は、読者がより容易に理解するために、本考案の技術内容を実施例でのみ更に説明したが、本考案の実施形態はこれらに限定されず、本考案による技術的拡張又は再創造はいずれも、本考案により保護される。本考案の保護範囲は、実用新案登録請求の範囲に準ずる。
【符号の説明】
【００５７】
１０ ハウジング
１１ フィルタエレメント
１２ 吸気口
１３ 環状溝
１４ 係合孔
１５ 第２の係合面
１６ 凹溝
１８ 台座
２０ ファンアセンブリ
２１ カバー
２２ ハンドル
２３ 環状突起
２４ 係合柱
２５ 球状体
２６ 弧状溝
２７ 回転軸
２８ 第１の係合面
２９ 殺菌ランプ
１０１  係止溝
２０１  係止突起
【図１】
0003227284.tif 000003
【図２】
0003227284.tif 000004
【図３】
0003227284.tif 000005
【図４】
0003227284.tif 000006
【図５】
0003227284.tif 000007
【図６】
0003227284.tif 000008
【図７】
0003227284.tif 000009
【図８】
0003227284.tif 000010
【図９】
0003227284.tif 000011
【図１０】
0003227284.tif 000012
【図１１】
0003227284.tif 000013
【図１２】
0003227284.tif 000014
【図１３】
0003227284.tif 000015
【図１４】
0003227284.tif 000016